(57)【特許請求の範囲】
【請求項１】
床板に複数の脚体を取り付けて当該床板を脚体で支持するように形成してあるプール用床であって、
上記脚体は、床板に固定される枠板と当該枠板の両端に設けられた連結部に回動自在に連結される一対の脚板からなり、両脚板は互いに先端部が凹凸係合して上記枠板と両脚板とで側面視三角形状を呈するように組み立てられるとともに上記枠板に対して両脚板が折り重なって三枚重ね状に折り畳めるように構成され、
かつ枠板とその上側に折り重なる脚板とに対し、折り重ねた当該脚板が板面方向に移動するのを防止する係合構造を形成するとともに、
この脚板と、その上側に折り重なる脚板とに対し、当該上側の脚板が板面方向に移動するのを防止する係合構造を形成してあるプール用床。
【請求項２】
床板に複数の脚体を取り付けて当該床板を脚体で支持するように形成してあるプール用床であって、
上記脚体は、床板に固定される枠板と当該枠板の両端に設けられた連結部に回動自在に連結される一対の脚板からなり、両脚板は互いに先端部が凹凸係合して上記枠板と両脚板とで側面視三角形状を呈するように組み立てられるとともに上記枠板に対して両脚板が折り重なって三枚重ね状に折り畳めるように構成され、
かつ折り重ねた２枚の当該脚板が板面方向に移動するのを防止する係止体を上記枠板に形成してあるプール用床。
【発明の詳細な説明】
【０００１】
【発明の属する技術分野】
本発明は、プールの水深を浅くするためにプールの底に設置されるプール用床に関する。
【０００２】
【従来の技術】
この種のプール用床の一例として、図１２に示すようなプール用床１００がある。このプール用床１００は、長尺床材１０１、アングル材１０２及びＶ字形の脚体１０３とからなるものである。これは、長尺床材１０１を数枚並べてこれと交差する方向にアングル材１０２を配置し、ボルトやリベットなどの固着部材１０４によって、アングル材１０２とともに脚体１０３を固定一体化する構造となっている。このため、組立て、解体のいずれにおいても固着部材１０４による着脱作業を必要とし、作業が煩雑かつ面倒であるという欠点があった。
【０００３】
そこで、図１３に示すように、Ｖ字形の脚体１０３の代わりに箱型の脚体１０５を設け、これを固着部材を用いずに着脱できるように構成し、着脱作業が簡便になるようにしたプール用床１０６が既に知られるところとなっている（実公平２−２７０９４号公報）。
【０００４】
【発明が解決しようとする課題】
しかしながら、プール用床１００はもとより、プール用床１０６のように組立てや解体作業上の煩わしさを解消したものも、脚体１０３、１０５が変形のきかない固定構造であるため、組立て状態で多数積み上げるとかさばってしまい、保管するのに広いスペースを必要とするという問題点があった。
【０００５】
そこで、本発明は、上記の問題点に着眼し、組立て、解体いずれも簡便であるばかりでなく、小さく折り畳める構造を備えて保管スペースを省力化でき、なおかつ持ち運びが容易で丈夫な構造のプール用床を提供せんとするものである。
【０００６】
【課題を解決するための手段】
上記課題を解決するため、本発明は、床板に複数の脚体を取り付けて当該床板を脚体で支持するように形成してあるプール用床であって、上記脚体は、床板に固定される枠板と当該枠板の両端に設けられた連結部に回動自在に連結される一対の脚板からなり、両脚板は互いに先端部が凹凸係合して上記枠板と両脚板とで側面視三角形状を呈するように組み立てられるとともに上記枠板に対して両脚板が折り重なって三枚重ね状に折り畳めるように構成され、かつ枠板とその上側に折り重なる脚板とに対し、折り重ねた当該脚板が板面方向に移動するのを防止する係合構造を形成するとともに、この脚板と、その上側に折り重なる脚板とに対し、当該上側の脚板が板面方向に移動するのを防止する係合構造を形成してあるプール用床に特徴がある。
【０００７】
このプール用床であれば、使用時には側面視三角形状を呈するように組み立てることができるとともに、不使用時には、各脚板を折り重ねて折り畳むことができる。また、各脚板を折り重ねると、２枚の脚板が板面方向に移動するのを、枠板と脚体との係合構造及び脚板同士の係合構造が防止する。
【０００８】
また、床板に複数の脚体を取り付けて当該床板を脚体で支持するように形成してあるプール用床であって、上記脚体は、床板に固定される枠板と当該枠板の両端に設けられた連結部に回動自在に連結される一対の脚板からなり、両脚板は互いに先端部が凹凸係合して上記枠板と両脚板とで側面視三角形状を呈するように組み立てられるとともに上記枠板に対して両脚板が折り重なって三枚重ね状に折り畳めるように構成され、かつ折り重ねた２枚の当該脚板が板面方向に移動するのを防止する係止体を上記枠板に形成してあるプール用床とすることもできる。
【０００９】
このプール用床の場合は、２枚の脚板が板面方向に移動するのを係止体が防止する。
【００１０】
【発明の実施の形態】
以下、本発明の好適な実施の形態について、図面を参照しつつ説明する。
【００１１】
プール用床１は、図１に示すようにプール底面嵩上げ用の床板２と、プール底に設置して床板２を適当な高さに支持するための脚体３とからなるもので、床板２に脚体３を６個固定して構成してある。
【００１２】
床板２は、中空部を有するプラスチック製で矩形状の床材２ａに縁部２ｂを形成して縁取りし、短手辺に沿って２本１組のアングル材２ｃを３組固定して、各アングル材２ｃに２個づつ脚体３を固定するようになっている。床材２ａとアングル材２ｃとの連結固定は、ボルトやリベットなどの固着具を用いるほか、部材同士の嵌合や係合による固定などの適宜な連結手段により行うことができる。脚体３を固定する場合もこれと同様の固着具によることができる。
【００１３】
脚体３は、組立てると側面視三角形状を呈するが、分解して図２に示すように折り畳めるように構成したもので、図３〜図８に示すように床板２に固定するための枠板４に１対の脚板５、６を各々回動自在に連結し、かつ設置間隔を設けて向かい合わせ状に構成してある。この脚体３は枠板４、脚板５、６を軽量化と腐食防止のため、各々プラスチックを用いて一体成形加工により形成してある。
【００１４】
枠板４は、矩形板材の長手方向両側に１組の張出状縁部４ａを長手辺の両端部に対向するよう形成してある。各短手辺に沿う張出状縁部４ａ、４ａの間の部分を、枢止用凹凸部を形成してなる連結部４ｂとし、各連結部４ｂに対し脚板５、６を回動自在に連結してある。また、連結部４ｂの内側で脚板６の付根に対応する部分に幅ｗ１，奥行ｗ２の大きさの係合凸部７を形成してある（図５及び図６）。
【００１５】
脚板５は板枠状を呈する。この脚板５は枠板４に接しない側の板面を表面５ａ、その反対側を裏面５ｂとし、その付根元端部に、連結部４ｂに回転自在に連結する枢止用凹凸部を形成して、これを連結部５ｃとし、この連結部５ｃを連結部４ｂに図示しない支持ピンを介在させて回転自在に連結してなっている。この脚板５には連結部５ｃから先端部５ｄまでの略中間部分を適宜張り出させて把手部５ｅ、５ｅを形成してあり、表面５ａの把手部５ｅ、５ｅ形成部分に強度向上かつ軽量化のため凹部を設けてある。先端部５ｄは、中間部分を一部切除するなどした係合凹部８とし、その両端を係合端部９、９としてある。この係合凹部８は、係合凸部７に対応する大きさに形成されその切欠幅ｗ３及び奥行ｗ４をぞれぞれ幅ｗ１，奥行ｗ２より同等ないし若干大きめに形成してある。係合端部９は、横幅をｗ５としてある。また脚板５は、表面５ａの連結部５ｃ近傍に１組の係合凸部１０、１０を形成してある。各係合凸部１０は横幅をｗ６，縦幅をｗ７になるように形成してある。
【００１６】
脚板６は板枠状を呈する。この脚板６は、脚板５に接しない側の板面を表面６ａ、その反対側を裏面６ｂとし、その付根元端部に連結部４ｂに回転自在に連結する枢止用凹凸部を形成してこれを連結部６ｃとし、この連結部６ｃを連結部４ｂに回転自在に連結してなっている。また脚板６は、先端部６ｄの表面６ａ側に防滑ラバー１１を固着し、裏面６ｂの先端部６ｄ近傍に係合凹部１２，１２を形成してある。各係合凹部１２は、係合凸部１０の大きさと位置に対応するように形成してありその横幅ｗ８が横幅ｗ６よりも同等ないし若干大きめ、縦幅ｗ９がｗ７よりも同等ないし若干大きめとなるように形成してある。
【００１７】
以上の構成を有する脚体３は、図１及び図１０に示すように組み立てて側面視三角形状にして使用するものであるが、不使用時には枠板４上に脚板５、脚板６を順次折り重ねて図８に示すように折り畳むことができる。よって、脚体３が変形しないものと異なり、互いに積み上げても場所をとらず、保管スペースを省力化することができる。
【００１８】
このとき、先ず、脚板５を折り重ねるのであるが、これは、連結部４ｂを回転軸として脚板５を回動させて行う。脚板５を回動させると、枠板４上に脚板５を折り重ねることができる。このとき、係合凹部８が係合凸部７に対応することから、係合凹部８が係合凸部７の外側に被さることになり、同時に係合端部９、９が係合凸部７の両側に位置する状態になる（図６）。
【００１９】
次に、脚板６を折り畳むのであるが、これは、連結部４ｂを回転軸として連結部６ｃを回動させて行う。このとき、裏面６ｂが脚板５の表面５ａに折り重なるようにして折り畳むことができる。またこのとき、係合凹部１２が係合凸部１０に対応して上側から被さることになる。
【００２０】
この状態で折り畳みが完了し、図８に示すように３枚重ね状の脚体３が完成する。このように、脚体３は、側面視三角形状から３枚重ね状に折り畳むことによって略平板状にすることができる。したがって、プール用１を使用しない場合には、各脚体３を３枚重ね状に折り畳めばよく、そうすれば保管スペースも省力化できるし、持ち運びする等して設置場所を移動させるのもいたって簡便になる。また３枚重ね状にするのに必要な作業は、主として各脚板５、６を回動して折り重ねるものであるから、その手間もかからない。
【００２１】
また、図に示すように、３枚折り畳み状の脚体３は、係合端部９、９が係合凸部７の両側に位置し、さらに係合凹部１２が係合凸部１０に係合する状態で折り重なっている。この状態を枠板４、脚板５、６の各板材同士の関係でみると、枠板４と、脚板５との関係では係合凹部８が係合凸部７に被さり、同時に係合端部９が係合凸部７を両側から挟みこむ関係にあるから、脚板５の板面方向の移動が規制され、脚板５と脚板６との関係では係合凹部１２と係合凸部１０との凹凸係合により、互いの板面方向の移動が規制される。これらの関係は、板材同士の横すべり（位置ずれ）を防止する構造（横ずれ防止構造）として機能する。したがって３枚重ね状の脚体３を持ち運びする際にも板面方向の移動が規制された状態で三枚重ね状態が維持されるため、脚板の横ずれによる煩わしさを感じることのない取扱い便利なものとなる。
【００２２】
特に、脚板５、６は、各連結部を支持ピンを介して回転自在に連結してあるため、仮にこれらの横ずれ防止構造がないとした場合には、脚板５または脚体６だけを持って、３枚重ね状の脚体３を持ち上げたり、持ち運び等する際に脚板５、６の連結部に重量負荷が集中しやすく、その分、破損を起こしやすくなる。しかし、脚体３は、この横ずれ防止構造により、枠板４、脚板５、６の互いの板面方向の移動を規制してあるため、脚体３の重量負荷が脚板５、６の連結部から横ずれ防止構造を介してその他の部分にも分散し、その分、破損を生じにくくなっている。
【００２３】
このようにプール用床１は、かかる横ずれ防止構造により、確実に横すべりを防止して一層破損の生じにくい構造になっている。この横ずれ防止構造とするために係合凸部１０と係合凹部１２とは、互いに２つ形成してあるが、個数はこれに限定されない。形状も図示のように平面視矩形状にしてあるが、これも限定されない。例えば、平面視円形状にすることもできる。この点は、係合凸部８と係合凹部９についても同様である。
【００２４】
次に、脚体３を組み立てて使用する場合の手順について説明する。脚体３は、図８に示す折り畳み状態から脚板６を回動させて開放するとともに、脚板５を反対回りに回転させるようにして開放し、側面視コの字状にする。次いで、脚板５と脚板６の先端部を互いに向かい合うように接近させて、脚板６の先端部の若干下側に脚板５の先端部を位置させる（図９（Ａ））。そして、係合端部９、９を係止凹部１２、１２に嵌め込み、所定のロック部材ａを作用させて脚板５と脚板６の先端部同士を離脱しないようにロックする。すると、枠板４が底となり脚板５と脚板６の先端部の凹凸係合部分を頂点１３とする側面視三角形状に組み立てることができる。この頂点１３に位置する防滑ラバー１１が底になるように逆転させた設置状態を図示したのが図１０である。このような側面視三角形状とする作業をプール用床１の各脚体３を対象にして行い、各脚体３の防滑ラバー１１が底になるようにプール底に設置してプール用床１を使用する。こうすると、脚体３の高さに相当する嵩上げを行い、プールの水深を浅くすることができる。
【００２５】
図１１には、上述した脚体３の変形例となる脚体２３を示してある。この脚体２３は、枠板４を縁部４ａを長手辺に沿って一連に設けるとともに、短冊板状の係止体２４を形成して、脚体５の把手５ｅを形成しない脚体２５とし、かつ、板面方向の移動を防止する係合構造（係合凸部７と係合凹部８による係合構造、及び係合凸部１０と係合凹部１２による係合構造）を形成しない構造としてある。この脚体２５は、係止体２４が脚板５、脚板６の板面方向の移動を規制する係合構造として機能するため、脚体３と同様の取扱便利なものとなる。
また、上述した脚体３に係止体２４の如き係止体を形成して、係止体と係合構造との双方によって、脚板の移動を防止しても良い。
【００２６】
なお、既設のプール用床１を解体するときは、脚体３を床板２から取り外してこれを３重折重状態にすればコンパクトに納めることができる。折り畳んだ脚体３自体は、略平板状になるので、複数個重ねて安定的に積み上げることもでき、解体した床材２やアングル材などとともに保管するスペースを省力化することができる。
【図面の簡単な説明】
【図１】本発明のプール用床の一例を下側から見た斜視図である。
【図２】図１のプール用床の折り畳み状態を底側からみた斜視図である。
【図３】図１に示した脚体の脚板２枚の開放状態を示した斜視図である。
【図４】図３に示した脚体の脚板１枚を折り畳んだ状態を示した斜視図である。
【図５】図１の要部斜視図である。
【図６】図４の要部斜視図である
【図７】起立状態の脚板１枚を図示した正面図である。
【図８】脚板２枚を折り畳んだ状態を示す斜視図である。
【図９】脚体の組立て過程を示し，（Ａ）は脚板２枚の連結前、（Ｂ）は連結後を示す要部斜視図である。
【図１０】組立て状態の脚体を示す斜視図である。
【図１１】別の脚体を示し（Ａ）は折り畳み状態、（Ｂ）は（Ａ）のＢ−Ｂ線断面図である。
【図１２】従来のプール用床の一例を示す分解斜視図である。
【図１３】同じく、従来のプール用床の一例を示す分解斜視図である。
【符号の説明】
１      プール用床
２      床材
３      脚体
４      枠板
5,6     脚板
７      係合凸部
８      係合凹部
９      係合端部
10      係合凸部
12      係止凹部
24      係止体
【図１】
0003784170.tif 000002
【図２】
0003784170.tif 000003
【図３】
0003784170.tif 000004
【図４】
0003784170.tif 000005
【図５】
0003784170.tif 000006
【図６】
0003784170.tif 000007
【図７】
0003784170.tif 000008
【図８】
0003784170.tif 000009
【図９】
0003784170.tif 000010
【図１０】
0003784170.tif 000011
【図１１】
0003784170.tif 000012
【図１２】
0003784170.tif 000013
【図１３】
0003784170.tif 000014